(57)【特許請求の範囲】
【請求項１】
駅のプラットフォームの乗車位置を案内するための案内表示タイルに、突起又は突条を一体に成形した成形体からなる視覚障害者用の乗車位置案内タイルであって、案内表示タイルが、中抜きの円形であるか、又はこの円形を含んでいることを特徴とする視覚障害者用の乗車位置案内タイル。
【請求項２】
駅のプラットフォームの乗車位置を案内するための案内表示タイルに、突起又は突条を一体に成形した成形体からなる視覚障害者用の乗車位置案内タイルであって、案内表示タイルが、中抜きの三角形であるか、又はこの三角形を含んでいることを特徴とする視覚障害者用の乗車位置案内タイル。
【請求項３】
駅のプラットフォームの乗車位置を案内するための案内表示タイルに、突起又は突条を一体に成形した成形体からなる視覚障害者用の乗車位置案内タイルであって、案内表示板が、中抜きの菱形であるか、又はこの菱形を含んでいることを特徴とする視覚障害者用の乗車位置案内タイル。
【請求項４】
成形体の裏面に接着剤層を介して離型シートを接合してなる請求項１〜３のいずれかに記載の視覚障害者用の乗車位置案内タイル。
【発明の詳細な説明】
【技術分野】
【０００１】
本発明は、駅のプラットフォーム等に施工するための視覚障害者用の乗車位置案内タイル（案内ブロックを含む）に関するものである。
【背景技術】
【０００２】
従来、視覚障害者用の点字タイル又は点字ブロックとして、合成樹脂板又は合成ゴム板の表面に突起又は突条を設けたものが知られている（例えば、特許文献１参照）。
【特許文献１】特開２００１−２７１３１５公報（第２頁、図１）
【０００３】
ＪＲの各駅のプラットフォームには、車両への乗車位置の案内として、プラットフォームの線路寄りに、中抜きの円形、中抜きの三角形、中抜きの菱形、矢印等の図形、記号が、車両のドアの配置形状に応じて設けられている。なお、円形は四扉車、三角形は三扉車、矢印はかつての三扉車を示している。
【０００４】
しかしながら、これらの図形、記号は表面が平滑であるので、健常者は認識可能であるが、視覚障害者は識別することができず、安全上の問題がある。
【発明の開示】
【発明が解決しようとする課題】
【０００５】
解決しようとする問題点は、プラットフォーム上の乗車位置を示す図形、記号を、視覚障害者が容易に識別することができるようにして安全性の向上を図るようにする点にある。
【課題を解決するための手段】
【０００６】
本発明は、プラットフォーム上の乗車位置を示す図形、記号等の標識に予め突起又は突条を一体成形しておくことにより、視覚障害者が容易に標識を認識することができ、安全性を向上させることができることを最も重要な特徴とする。
【０００７】
本発明の視覚障害者用の乗車位置案内タイルは、駅のプラットフォームの乗車位置を案内するための案内表示タイルに、突起又は突条を一体に成形してなることを特徴としている。
また、本発明の視覚障害者用の乗車位置案内タイルは、駅のプラットフォームの乗車位置を案内するための案内表示タイルに、突起又は突条を一体に成形し、この成形体の裏面に接着剤層を介して離型シートを接合してなることを特徴としている。
【０００８】
これらの案内タイルにおいて、案内表示タイルの一例として、中抜きの円形であるか、又はこの円形を含んでいる形状とすることができる。また、案内表示タイルの他の例として、中抜きの三角形であるか、又はこの三角形を含んでいる形状とすることができる。また、案内表示板の他の例として、中抜きの菱形であるか、又はこの菱形を含んでいる形状とすることができる。また、案内表示板のさらに他の例として、矢印形状であるか、又はこの矢印形状を含んでいる形状等とすることができる。
【発明の効果】
【０００９】
本発明の乗車位置案内タイルは、突起又は突条を一体に成形しているので、視覚障害者が容易に乗車位置を知ることができ、安全性の向上を図ることができる。
【発明を実施するための最良の形態】
【００１０】
視覚障害者が車両への乗車位置を容易に認識することができるという目的を、乗車位置標識に予め突起又は突条を一体成形しておくことにより実現した。
【００１１】
以下、本発明の実施の形態について説明するが、本発明は下記の実施の形態に何ら限定されるものではなく、適宜変更して実施することができるものである。図１は、本発明の実施の第１形態による視覚障害者用の乗車位置案内タイル（点字タイル）を示している。  
【００１２】
図１において、１０は中抜きの円形標識で、塩化ビニール等の合成樹脂、合成ゴム等で形成されている。この円形標識１０に、円周状に多数の略円錐台状の突起１２が一体に成形されている。１４は中空部である。
【００１３】
図２は、案内タイルの他の例を示している。１６は中抜きの三角形標識で、塩化ビニール等の合成樹脂、合成ゴム等で形成されている。この三角形標識１６に、三角形状に多数の略円錐台状の突起１８が一体に成形されている。２０は中空部である。
【００１４】
図３は、案内タイルの他の例を示している。２２は中抜きの菱形標識で、塩化ビニール等の合成樹脂、合成ゴム等で形成されている。この菱形標識２２に、菱形状に多数の略円錐台状の突起２４が一体に成形されている。２６は中空部である。
【００１５】
図４は、案内タイルのさらに他の例を示している。２８は矢印形標識で、塩化ビニール等の合成樹脂、合成ゴム等で形成されている。この矢印形標識２８に、多数の略円錐台状の突起３０が一体に成形されている。
【００１６】
図５は、図１に示す案内タイル１０のＡ−Ａ線断面を示している。案内タイル１０には、接着剤層（のり層）３２を介して離型紙等の離型シート３４が接合されている。施工時に、この離型シート３４を剥がして、プラットフォームの乗車位置に接着する。
【００１７】
図６は、案内タイル１０の断面の他の例を示している。本例は、案内タイル１０に接着剤層、離型シートを設けずに、接着剤による接合等、従来の方法により、案内タイル１０をプラットフォームの乗車位置に施工する。
【００１８】
図７は、図１に示す案内タイル１０をプラットフォームに施工した状態を示している。２の数字は電車の２両車目のドアセンター位置を示している。この２の数字等の文字標識３６も、案内タイルと同様に塩化ビニール等の合成樹脂製又は合成ゴム製等とし、略円錐台状の突起３８を一体に成形することが望ましい。
【００１９】
図８は、図２に示す案内タイル１６をプラットフォームに施工した状態を示している。２の数字は電車の２両車目のドアセンター位置を示している。この２の数字等の文字標識３６も、案内タイルと同様に塩化ビニール等の合成樹脂製又は合成ゴム製等とし、略円錐台状の突起３８を一体に成形することが望ましい。
【００２０】
図９は、図２に示す案内タイル１６含む案内タイル標識４０を示している。図形案内タイル１６及び文字標識３６と同じ材質で案内タイル標識４０を一体に形成し、図５に示す構成による方法、又は図６に示す構成による方法により、プラットフォームに施工する。  
【００２１】
図１０は、図２に示す案内タイル１６含んでいる案内タイル標識４２を示している。図形案内タイル１６及び文字標識４４と同じ材質で案内タイル標識４２を一体に形成し、図５に示す構成による方法、又は図６に示す構成による方法により、プラットフォームに施工する。４６は突起である。
【００２２】
図１１〜図１６は、本発明の実施の第２形態による乗車位置案内タイルを示している。本実施形態は、図１〜図１０に示す点字タイルにおける断面略円錐台状の突起の代わりに、断面略円錐台状の突条４８を設けたものである。他の構成及び作用は、図１〜図１０の場合と同様である。
【図面の簡単な説明】
【００２３】
【図１】本発明の実施の第１形態による視覚障害者用の乗車位置案内タイルの一例を示す平面図である。
【図２】本発明の実施の第１形態による視覚障害者用の乗車位置案内タイルの他の例を示す平面図である。
【図３】本発明の実施の第１形態による視覚障害者用の乗車位置案内タイルの他の例を示す平面図である。
【図４】本発明の実施の第１形態による視覚障害者用の乗車位置案内タイルのさらに他の例を示す平面図である。
【図５】図１におけるＡ−Ａ線断面図の一例である。
【図６】図１におけるＡ−Ａ線断面図の他の例である。
【図７】図１に示す案内タイルの施工後の一例を示す平面図である。
【図８】図２に示す案内タイルの施工後の一例を示す平面図である。
【図９】図２に示す案内タイルの施工後の他の例を示す平面図である。
【図１０】図２に示す案内タイルの施工後のさらに他の例を示す平面図である。
【図１１】本発明の実施の第２形態による視覚障害者用の乗車位置案内タイルの一例を示す平面図である。
【図１２】本発明の実施の第２形態による視覚障害者用の乗車位置案内タイルの他の例を示す平面図である。
【図１３】本発明の実施の第２形態による視覚障害者用の乗車位置案内タイルの他の例を示す平面図である。
【図１４】本発明の実施の第２形態による視覚障害者用の乗車位置案内タイルのさらに他の例を示す平面図である。
【図１５】図１１におけるＢ−Ｂ線断面図の一例である。
【図１６】図１１におけるＢ−Ｂ線断面図の他の例である。
【符号の説明】
【００２４】
１０  円形標識
１２、１８、２４、３０、３８、４６  突起
１４、２０、２６  中空部
１６  三角形標識
２２  菱形標識
２８  矢印形標識
３２  接着剤層
３４  離型シート
３６、４４  文字標識
４０、４２  案内タイル標識
４８  突条
【図１】
0004708168.tif 000002
【図２】
0004708168.tif 000003
【図３】
0004708168.tif 000004
【図４】
0004708168.tif 000005
【図５】
0004708168.tif 000006
【図６】
0004708168.tif 000007
【図７】
0004708168.tif 000008
【図８】
0004708168.tif 000009
【図９】
0004708168.tif 000010
【図１０】
0004708168.tif 000011
【図１１】
0004708168.tif 000012
【図１２】
0004708168.tif 000013
【図１３】
0004708168.tif 000014
【図１４】
0004708168.tif 000015
【図１５】
0004708168.tif 000016
【図１６】
0004708168.tif 000017